(57)【要約】【課題】構造が簡単で、操作し易く、且つ伸縮自在なタッチペンを提供すること。【解決手段】本発明のタッチペンは、中空の筆立部と、前記筆立部の一端に固定される筆芯部と、前記筆立部内にスライド可能に収納され、且つ一端には２つの係合部が設けられたペン軸と、を備えてなる。前記筆芯部の一端には２つの挟持アームが設けられ、前記筆立部の前記筆芯部から離れている他端には２つの係止アームが設けられる。前記ペン軸の係合部と前記筆芯部の挟持アームとが互いに係合される場合、前記ペン軸は前記筆立部に収納されておりタッチペンは収縮される。これに換えて、前記ペン軸の係合部と前記筆立部の係止アームとが互いに係合される場合、前記ペン軸は前記筆立部から引き出されておりタッチペンは伸長される。【選択図】図１
2011204221.tif 000002
【特許請求の範囲】
【請求項１】
中空の筆立部と、
前記筆立部の一端に固定される筆芯部と、
前記筆立部内にスライド可能に収納され且つ一端には２つの係合部が設けられたペン軸と、
を備えてなるタッチペンであって、
前記筆芯部の一端には２つの挟持アームが設けられ、前記筆立部の前記筆芯部から離れている他端には２つの係止アームが設けられ、
前記ペン軸の係合部と前記筆芯部の挟持アームとが互いに係合される場合、前記ペン軸は前記筆立部に収納されておりタッチペンは収縮され、
前記ペン軸の係合部と前記筆立部の係止アームとが互いに係合される場合、前記ペン軸は前記筆立部から引き出されておりタッチペンは伸長されることを特徴とするタッチペン。
【請求項２】
前記タッチペンは、前記筆立部の前記筆芯部から離れる他端に固定される位置決め部材をさらに含み、前記係止アームは前記位置決め部材から前記筆芯部に向って延在してなることを特徴とする請求項１に記載のタッチペン。
【請求項３】
前記ペン軸の前記係合部が設けられた一端にはさらに止め部が突設されており、
前記ペン軸が前記筆立部内に収まられると、前記止め部は前記筆芯部に当止され、
前記ペン軸が前記筆立部から引き出された後、前記止め部は前記位置決め部材に当止されることを特徴とする請求項２に記載のタッチペン。
【請求項４】
前記係合部は２つの係止リブ及び前記２つの係止リブの間に形成される係止凹溝を含むことを特徴とする請求項１に記載のタッチペン。
【請求項５】
各々の挟持アームには他方の挟持アームに向って弧状突起が設けられ、前記弧状突起は前記係止凹溝に解除可能に係合することを特徴とする請求項４に記載のタッチペン。
【請求項６】
各々の係止アームには他方の係止アームに向って凸状リブが設けられ、前記凸状リブは前記係止凹溝に解除可能に係止されることを特徴とする請求項４に記載のタッチペン。
【請求項７】
前記タッチペンは、前記筆芯部を被せるキャップをさらに含み、前記キャップの内表面には突起部が設けられ、前記筆芯部の一端には係止凹溝が設けられ、前記突起部は前記係止凹溝に解除可能に係合することを特徴とする請求項４に記載のタッチペン。
【請求項８】
前記キャップの突起部と前記筆芯部の係止凹溝との係止力は、前記筆芯部の挟持アームの弧状突起と前記ペン軸の係合部の係止凹溝との係止力より大きいことを特徴とする請求項７に記載のタッチペン。
【発明の詳細な説明】
【技術分野】
【０００１】
本発明は、タッチペンに関し、特に電子装置に用いられるタッチペンに関するものである。
【背景技術】
【０００２】
現在市販されている携帯電話、個人用携帯情報端末（ＰＤＡ）及びパソコン等の電子装置は殆んどタッチパネルを備えている。これらの電子装置は、一般的にタッチペンを入力手段とする。
【０００３】
従来のタッチペンは通常電子装置の内部に内蔵されており、使用する場合、前記タッチペンを電子装置の蓋体から抜き出す。しかし、電子装置の蓋体の長さが短く且つ内部空間も小さいため、それに収納されるタッチペンも短く設計しなければならない。従って、タッチペンの長さは制限されて、ユーザーにとって使用不便である。
【発明の概要】
【発明が解決しようとする課題】
【０００４】
従来の問題を解決するために、伸縮できるタッチペンがたくさん設計されたが、既存のタッチペンは構造が複雑であるため、操作し難しい。
【０００５】
本発明は、上記の課題に鑑みてなされたものであり、構造が簡単で、操作し易く、且つ伸縮自在なタッチペンを提供することを目的とする。
【課題を解決するための手段】
【０００６】
前記課題を解決するために、本発明に係るタッチペンは、中空の筆立部と、前記筆立部の一端に固定される筆芯部と、前記筆立部内にスライド可能に収納され、且つ一端には２つの係合部が設けられたペン軸と、を備えてなる。前記筆芯部の一端には２つの挟持アームが設けられ、前記筆立部の前記筆芯部から離れている他端には２つの係止アームが設けられる。前記ペン軸の係合部と前記筆芯部の挟持アームとが互いに係合される場合、前記ペン軸は前記筆立部に収納されておりタッチペンは収縮される。これに換えて、前記ペン軸の係合部と前記筆立部の係止アームとが互いに係合される場合、前記ペン軸は前記筆立部から引き出されておりタッチペンは伸長される。
【発明の効果】
【０００７】
従来の技術に比べて、本発明のタッチペンは、スライド溝を有するガイドロッドなどを備えなくても、前記ペン軸の前記筆立部に対する伸縮を実現できるので、構造が簡単で且つ操作し易いという利点を有する。
【図面の簡単な説明】
【０００８】
【図１】本発明に係るタッチペンの立体分解図である。
【図２】図１に示したタッチペンの立体組立図である。
【図３】図２に示したタッチペンの局部断面図である。
【図４】図２に示したタッチペンのＩＶ−ＩＶ線に沿う断面図である。
【図５】図４に示したタッチペンが伸長された状態での断面図である。
【発明を実施するための形態】
【０００９】
本発明のタッチペンは、携帯電話、個人用携帯情報端末（ＰＤＡ）及びパソコン等の電子装置に用いられる。以下、図面を参照しながら本発明の実施形態に係るタッチペンについて詳細に説明する。
【００１０】
図１に示したように、本発明のタッチペン１００は、筆立部１０と、前記筆立部１０の一端に固定される筆芯部２０と、前記筆立部１０内にスライド可能に収納されるペン軸３０と、前記筆立部１０の他端に装着される位置決め部材４０と、前記ペン軸３０の一端に嵌入されるプラグ５０と、着脱可能に前記筆芯部２０を被せるキャップ６０と、を備える。前記筆芯部２０は、１つの位置決めピン７０を介して前記筆立部１０に固定され、前記プラグ５０は１つの固定ピン８０を介して前記ペン軸３０に固定される。
【００１１】
前記筆立部１０は中空の管状体であり、４つの側壁１４から囲んで形成される。前記筆立部１０の軸方向に沿って前記筆芯部２０を収納するための収容空洞部１２が設けられる。本実施形態において、前記収容空洞部１２の横断面は略矩形を呈するが、他の実施形態において、前記収容空洞部１２の横断面は三角形のような他の形状でもよく、従って前記ペン軸３０が前記筆立部１０内で回転できないようにする。前記筆立部１０の対向する２つの側壁１４の一端には、前記位置決めピン７０を装着するための固定穴１４２がそれぞれに設けられる。前記２つの側壁１４の他端の内表面には、前記位置決め部材４０を固定するための位置決め部１４４（図３を参照）がそれぞれに設けられる。
【００１２】
前記筆芯部２０は、中空の固定部２２と、別々に前記固定部２２の両端から延伸する筆先部２４及び２つの挟持アーム２６と、を備える。前記固定部２２には、前記筆立部１０の２つの固定穴１４２に対応する２つの貫通孔２２２が設けられる。前記筆先部２４は略円錐状を呈し、その先端部には電子装置のタッチパネルをタッチするために用いられるタッチ部２４４が設けられ、前記筆先部２４の前記固定部２２に近い箇所には前記キャップ６０を係止するための係止凹溝２４２が形成される。前記２つの挟持アーム２６は細長い板状体であり、互いに対向して設けられる。各々の挟持アーム２６の他方の挟持アーム２６に対面する表面には、前記ペン軸３０を挟持するための弧状突起２６２が設けられる。
【００１３】
前記ペン軸３０は中空の管状体であり、平行する２つの第一側壁３２及び平行する２つの第二側壁３４から取り囲んで形成される。前記ペン軸３０の対向する２つの第一側壁３２の一端には、前記筆芯部２０の弧状突起２６２を係止するための係合部３２２がそれぞれに設けられる。前記係合部３２２は、互いに平行する２つの係止リブ３２２２を含み、前記２つの係止リブ３２２２の間には前記弧状突起２６２を係止するための係止凹溝３２２４が形成される。１つの前記第二側壁３４の前記係合部３２２に近い箇所には、止め部３４２が設けられる。前記止め部３４２は、前記筆芯部２０又前記位置決め部材４０に当止されて、前記ペン軸３０が前記筆立部１０から脱出することを防止する。前記ペン軸３０の対向する２つの第一側壁３２の他端には、前記固定ピン８０を装着するための固定穴３２４がそれぞれに設けられる。
【００１４】
前記位置決め部材４０は、横断面が略矩形を呈する筒状体であり、その軸方向に沿って収容空洞部４２が設けられる。前記位置決め部材４０は、前記ペン軸３０を被せて、前記ペン軸３０が前記位置決め部材４０に対して回転できないようにする。前記位置決め部材４０の前記キャップ６０に向かう一端から、対向する２つの係止アーム４４及び対向する２つの位置決めアーム４６が延在される。前記係止アーム４４と前記位置決めアーム４６とは、互いに離間して設置される。
【００１５】
前記２つの係止アーム４４は板状体であり、各々の係止アーム４４の他方の係止アーム４４に対面する表面には、前記ペン軸３０の係合部３２２の係止凹溝３２２４に係止される凸状リブ４４２が設けられる。前記２つの位置決めアーム４６は板状体であり、各々位置決めアーム４６の他方の位置決めアーム４６に背離する表面には、前記筆立部１０の位置決め部１４４を係止するための位置決め凹所４６２が設けられる。
【００１６】
前記プラグ５０は、前記筆立部１０の収容空洞部１２の開口を覆う基板５２及び前記基板５２に直交して連結する嵌合部５４を含む。前記嵌合部５４の側面には取付用孔５４２が設けられ、前記嵌合部５４が前記ペン軸３０に嵌入された後、前記取付用孔５４２と前記固定穴３２４とは同じ軸線に位置するので、その中に前記固定ピン８０を挿入することにより、前記プラグ５０を前記ペン軸３０の一端に固定する。
【００１７】
前記キャップ６０は周壁６２を含み、前記周壁６２の内表面には２つの突起部６２２が対向して設けられる。前記突起部６２２は、前記筆芯部２０の係止凹溝２４２に解除可能に係合される。
【００１８】
以下、図１乃至図３を参照しながら、本発明のタッチペン１００の組立ステップについて詳細に説明する。
【００１９】
まず、前記筆芯部２０を前記筆立部１０内に挿入して、前記筆芯部２０の貫通孔２２２と前記筆立部１０の固定穴１４２との位置を合せてから、前記位置決めピン７０を前記筆立部１０の固定穴１４２及び前記筆芯部２０の貫通孔２２２に順次に挿入して、前記位置決めピン７０の両端をそれぞれ前記筆立部１０の２つの固定穴１４２に係止して、前記筆芯部２０を前記筆立部１０に固定する。
【００２０】
次に、前記係止アーム４４が設置された一端から前記位置決め部材４０を前記ペン軸３０に被せて、前記位置決め部材４０の係止アーム４４を前記ペン軸３０の固定穴３２４と係止凹溝３２２４との間に位置させる。続いて、前記プラグ５０の嵌合部５４を前記ペン軸３０内に嵌入すると共に、前記嵌合部５４の取付用孔５４２と前記ペン軸３０の固定穴３２４との位置を合わせてから、前記固定ピン８０を前記ペン軸３０の固定穴３２４及び前記プラグ５０の取付用孔５４２に順次に挿入して、前記固定ピン８０の両端をそれぞれ前記ペン軸３０の２つの固定穴３２４に係止して、前記プラグ５０を前記ペン軸３０に固定する。
【００２１】
次に、前記筆立部１０を前記ペン軸３０に被せて、前記筆立部１０で前記ペン軸３０の固定穴３２４と係止凹溝３２２４との間に位置する前記位置決め部材４０を推進し、前記位置決め部材４０が前記プラグ５０に当止してから、前記筆立部１０をさらに推進すると、前記筆立部１０の対向する２つの側壁１４の内表面に設けられた位置決め部１４４は、前記位置決め部材４０の２つの位置決めアーム４６を互いに近づくように押圧して、前記２つの位置決めアーム４６に反発力を蓄積させる。同時に、前記ペン軸３０の２つの係合部３２２の係止リブ３２２２は、前記筆芯部２０の２つの挟持アーム２６を互いに離れるように押し退けて、前記２つの挟持アーム２６に反発力を蓄積させる。前記筆立部１０の位置決め部１４４が前記位置決めアーム４６の係止凹溝４６２内に滑り込むと、前記位置決めアーム４６は弾性回復して、前記位置決め部１４４は前記係止凹溝４６２に安定に係合されて、前記位置決め部材４０は前記筆立部１０に固定される。且つ、前記挟持アーム２６の弧状突起２６２が前記係合部３２２の２つの係止リブ３２２２の間の係止凹溝３２２４内に滑り込むと、前記挟持アーム２６は弾性回復して、前記弧状突起２６２は前記係止凹溝３２２４に安定に係止されて、前記筆芯部２０は前記ペン軸３０に係止され、且つ前記ペン軸３０の止め部３４２が前記筆芯部２０に当止される。
【００２２】
最後に、前記キャップ６０を前記筆先部２４に被せて、前記キャップ６０の突起部６２２を前記筆先部２４の係止凹溝２４２に係止させる。これで、前記タッチペン１００の組立を完成する。この際、図３及び図４に示したように、前記タッチペン１００は収縮された状態に処する。
【００２３】
図５に示すように、前記タッチペン１００を使用する場合、前記キャップ６０を引張ると、前記筆芯部２０の２つの挟持アーム２６の弧状突起２６２は前記ペン軸３０の２つの係合部３２２の係止凹溝３２２４から退出されて、前記筆芯部２０は前記キャップ６０に連動されて前記ペン軸３０の軸方向に沿って前記プラグ５０から離れる方向へ移動するとともに、前記筆芯部２０に固定された前記筆立部１０及び前記筆立部１０に固定された前記位置決め部材４０も前記ペン軸３０の軸方向に沿って前記プラグ５０から離れる方向へ移動する。続いて、前記キャップ５０を引張って、前記位置決め部材４０の２つの係止アーム４４の凸状リブ４４２が前記ペン軸３０の２つの係合部３２２の係止凹溝３２２に係合され、且つ前記ペン軸３０の止め部３４２が前記位置決め部材４０に当止されると、前記タッチペン１００は完全に伸長される。最後に、前記キャップ６０を引張って、その突起部６２２を前記筆芯部２０の係止凹溝２４２から退出させることにより、前記キャップ６０を取り外して、ユーザーは前記タッチペン１００を使用できる。
【００２４】
本発明において、前記キャップ６０の突起部６２２と前記筆芯部２０の係止凹溝２４２との係止力は、前記筆芯部２０の挟持アーム２６の弧状突起２６２と前記ペン軸３０の係合部３２２の係止凹溝３２２４との係止力より大きい。
【００２５】
なお、前記位置決め部材４０の収容空洞部４２の横断面は、矩形に限定されなく、ペンタゴンのような他の形状であることができ、従って前記ペン軸３０が前記位置決め部材４０に対し回転できないようにする。
【００２６】
なお、前記係止アーム４４を前記筆立部１０に直接に設けてもよい。
【００２７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２８】
１０        筆立部
１２        収容空洞部
１４        側壁
２０        筆芯部
２２        固定部
２４        筆先部
２６        挟持アーム
３０        ペン軸
３２        第一側壁
３４        第二側壁
４０        位置決め部材
４２        収容空洞部
４４        係止アーム
４６        位置決めアーム
５０        プラグ
５２        基板
５４        嵌合部
６０        キャップ
６２        周壁
７０        位置決めピン
８０        固定ピン
１００      タッチペン
１４２      固定穴
１４４      位置決め部
２２２      貫通孔
２４２      係止凹溝
２４４      タッチ部
２６２      弧状突起
３２２      係合部
３２４      固定穴
３４２      止め部
４４２      凸状リブ
４６２      位置決め凹所
５４２      取付用孔
６２２      突起部
３２２２    係止リブ
３２２４    係止凹溝
【図１】
2011204221.tif 000003
【図２】
2011204221.tif 000004
【図３】
2011204221.tif 000005
【図４】
2011204221.tif 000006
【図５】
2011204221.tif 000007